(57)【要約】【課題】電気接続箱のロアカバーにハーネス導出用のプロテクタを簡単且つ確実に嵌合させる。【解決手段】電気接続箱１のロアカバー３にハーネス導出部４１を設け、ハーネス導出部に外側からワイヤハーネス規制用のプロテクタ５を嵌合し、プロテクタ５は分割可能で、且つハーネス導出部４１のハーネス導出方向に対して外側に屈曲した屈曲部１２，１３を有する構造とした。ハーネス導出部４１が外側に全周に渡るリブ４２を有し、プロテクタの一方の分割嵌合部１４ａと他方の分割嵌合部１４ｂとが内周に、リブに対する嵌合用のリブ２９，３０，２９’，３０’を有する。一方の分割嵌合部１４ａは半周に渡る長いリブ２９，３０を有し、他方の分割嵌合部１４ｂは中央側に短いリブ２９’，３０’を有して、一方の分割嵌合部が先にハーネス導出部４１に嵌合され、次いで他方の分割嵌合部が回動しつつハーネス導出部に嵌合される。【選択図】図５
2005304135.tif 000002
【特許請求の範囲】
【請求項１】
電気接続箱のロアカバーにハーネス導出部が設けられ、該ハーネス導出部に外側からワイヤハーネス規制用のプロテクタが嵌合され、該プロテクタは分割可能に形成され、且つ該ハーネス導出部のハーネス導出方向に対して外側に屈曲した屈曲部を有することを特徴とする電気接続箱のハーネス導出構造。
【請求項２】
前記ハーネス導出部が外側に全周に渡るリブを有し、前記プロテクタの一方の分割嵌合部と他方の分割嵌合部とが内周に、該リブに対する嵌合用のリブを有することを特徴とする請求項１記載の電気接続箱のハーネス導出構造。
【請求項３】
前記一方の分割嵌合部は半周に渡る長いリブを有し、前記他方の分割嵌合部は中央側に短いリブを有して、該一方の分割嵌合部が先に前記ハーネス導出部に嵌合され、次いで該他方の分割嵌合部が回動しつつ該ハーネス導出部に嵌合されることを特徴とする請求項２記載の電気接続箱のハーネス導出構造。
【請求項４】
前記他方の分割嵌合部のリブに、前記ハーネス導出部のリブに対する逃がし用の面取が形成されたことを特徴とする請求項３記載の電気接続箱のハーネス導出構造。
【請求項５】
前記一方の分割嵌合部のリブが直角な断面矩形状に形成されたことを特徴とする請求項３又は４記載の電気接続箱のハーネス導出構造。
【発明の詳細な説明】
【技術分野】
【０００１】
本発明は、電気接続箱のロアカバーにハーネス導出用のプロテクタを連結させる電気接続箱のハーネス導出構造に関するものである。
【背景技術】
【０００２】
図６は、従来の電気接続箱のハーネス導出構造の一形態を示すものである（特許文献１参照）。
【０００３】
この電気接続箱５１は、合成樹脂製のメインカバー５２とアンダカバー５３とアッパカバー（図示せず）とを備えるものであり、メインカバー側の電気部品であるリレーやヒューズやヒュージブルリンクや、接続部品であるコネクタや端子台といった各種部品に接続される各電線をワイヤハーネス５４としてアンダカバー５３の垂直な側壁５５の開口５６から外部に導出させる。
【０００４】
ハーネス導出用の開口５６はアンダカバー５３のほぼ両側に二つ設けられ、各開口５６からワイヤハーネス５４が二手に分岐されて導出される。開口５６には合成樹脂製の半割り状のプロテクタ５７の垂直な基板部５８がスライド式に嵌合され、プロテクタ５７に沿ってワイヤハーネス５４が案内されつつ導出方向が規定される。
【０００５】
本例のアンダカバー５３はブラケット５９で車両ボディ等に固定される。例えばエンジンルーム等に電気接続箱５１が配置される場合は防水機構が必要で、プロテクタ５７もロアカバー側の半割り状のプロテクタ（図示せず）と接合して略筒状となる（例えば特許文献２参照）。
【０００６】
また、電気接続箱用ではないが、特許文献３には、図７に示すようなハーネスプロテクタが記載されている。このハーネスプロテクタ６１はワイヤハーネス６２をＴ字状に分岐させるものであり、合成樹脂製の一対の略Ｔ字樋状の分割プロテクタ６３を接合させると共に、係止手段６４で係止させて構成される。
【０００７】
各分割プロテクタ６３の内面には開口部６５の近傍において合成樹脂製のコルゲートチューブ６６に対する係止リブ（図示せず）が設けられ、係止リブがコルゲートチューブ６６の周溝６６ａに係合することでワイヤハーネス６２を固定している。コルゲートチューブ６６は各電線６７を覆って保護すると共に、周状の凹凸６６ａ，６６ｂによって屈曲性を付与している。
【特許文献１】特開平８−３２２１２８号公報（第３〜４頁、図１）
【特許文献２】特開２０００−１６６０５８号公報（第３〜４頁、図１）
【特許文献３】特開平９−２９４３２０号公報（図１０）
【発明の開示】
【発明が解決しようとする課題】
【０００８】
しかしながら、従来の電気接続箱のハーネス導出構造（図６）にあっては、ワイヤハーネス５４をロアカバー５３の垂直な側壁５５から外部に導出させるために、水滴がハーネス導出用の開口５６からロアカバー内に浸入しやすいという問題があった。また、防水性を高めるにあたっては、ロアカバーのハーネス導出部にプロテクタを容易に且つ確実に固定させることが必要であった。
【０００９】
本発明は、上記した点に鑑み、ロアカバーとプロテクタとの嵌合部からの水の浸入を防止し、しかも、プロテクタをロアカバーに容易に且つ確実に固定させることのできる電気接続箱のハーネス導出構造を提供することを目的とする。
【課題を解決するための手段】
【００１０】
上記目的を達成するために、本発明の請求項１に係る電気接続箱のハーネス導出構造は、電気接続箱のロアカバーにハーネス導出部が設けられ、該ハーネス導出部に外側からワイヤハーネス規制用のプロテクタが嵌合され、該プロテクタは分割可能に形成され、且つ該ハーネス導出部のハーネス導出方向に対して外側に屈曲した屈曲部を有することを特徴とする。
【００１１】
上記構成により、プロテクタを分割した状態でロアカバーのハーネス導出部に嵌合することで、ロアカバーへのプロテクタの連結が行われる。ロアカバーのハーネス導出部が外側からプロテクタの嵌合部で覆われ、飛水した水がプロテクタの嵌合部にかかり、ロアカバーのハーネス導出部には直接飛水することがない。また、万一、プロテクタの屈曲部内に水が浸入した場合でも、プロテクタが屈曲しているから、ロアカバーのハーネス導出部へは水が達しにくい。電気接続箱内のワイヤハーネスはロアカバーのハーネス導出部からプロテクタの屈曲部を経て外部に導出される。
【００１２】
請求項２に係る電気接続箱のハーネス導出構造は、請求項１記載の電気接続箱のハーネス導出構造において、前記ハーネス導出部が外側に全周に渡るリブを有し、前記プロテクタの一方の分割嵌合部と他方の分割嵌合部とが内周に、該リブに対する嵌合用のリブを有することを特徴とする。
【００１３】
上記構成により、ロアカバーのハーネス導出部の外周のリブの間の凹溝にプロテクタの両分割嵌合部のリブが嵌合する。これにより、ロアカバーとプロテクタとがしっかりと連結される。
【００１４】
請求項３に係る電気接続箱のハーネス導出構造は、請求項２記載の電気接続箱のハーネス導出構造において、前記一方の分割嵌合部は半周に渡る長いリブを有し、前記他方の分割嵌合部は中央側に短いリブを有して、該一方の分割嵌合部が先に前記ハーネス導出部に嵌合され、次いで該他方の分割嵌合部が回動しつつ該ハーネス導出部に嵌合されることを特徴とする。
【００１５】
上記構成により、一方の分割嵌合部がロアカバーのハーネス導出部に径方向に平行移動で嵌合され、一方の分割嵌合部の長いリブがロアカバーのハーネス導出部のリブ間の凹溝にスムーズ且つしっかりと確実に係合し、次いで、他方の分割嵌合部が回動されつつロアカバーのハーネス導出部に嵌合され、他方の分割嵌合部の中央側の短いリブがロアカバーのハーネス導出部の周上のリブに干渉することなく、スムーズ且つ確実に凹溝に係合する。これにより、プロテクタの嵌合部がロアカバーのハーネス導出部にスムーズ且つ確実に連結される。
【００１６】
請求項４に係る電気接続箱のハーネス導出構造は、請求項３記載の電気接続箱のハーネス導出構造において、前記他方の分割嵌合部のリブに、前記ハーネス導出部のリブに対する逃がし用の面取が形成されたことを特徴とする。
【００１７】
上記構成により、他方の分割嵌合部をロアカバーのハーネス導出部に嵌合する際に、リブの面取がロアカバーのハーネス導出部のリブに干渉することなくスムーズに凹溝内に係合する。これにより、他方の分割嵌合部の嵌合作業性が一層向上する。
【００１８】
請求項５に係る電気接続箱のハーネス導出構造は、請求項３又は４記載の電気接続箱のハーネス導出構造において、前記一方の分割嵌合部のリブが直角な断面矩形状に形成されたことを特徴とする。
【００１９】
上記構成により、一方の分割嵌合部をロアカバーのハーネス導出部に径方向に平行移動で嵌合した際に、一方の分割嵌合部のリブとロアカバーのハーネス導出部の凹溝とが隙間やガタ付きなくしっかりと嵌合し、嵌合強度が高まる。
【発明の効果】
【００２０】
請求項１記載の発明によれば、プロテクタによってロアカバーのハーネス導出部への直接の飛水が防止されるから、防水性が高まり、電気的なリークや錆等に対する電気接続箱内の経時的品質が向上する。また、プロテクタを分割してロアカバーに容易に嵌合させることができ、ロアカバーへのプロテクタの組付性すなわち電気接続箱の組立性が向上する。
【００２１】
請求項２記載の発明によれば、ロアカバーとプロテクタとをリブ同士の嵌合によってしっかりと連結させることができ、ロアカバーからのプロテクタの外れが防止される。
【００２２】
請求項３記載の発明によれば、プロテクタをロアカバーに簡単且つ確実に連結させることができ、プロテクタの組付性が一層向上すると共に、一方の分割嵌合部の長いリブによって嵌合強度が高まり、ロアカバーからのプロテクタの外れが確実に防止される。
【００２３】
請求項４記載の発明によれば、他方の分割嵌合部をロアカバーのハーネス導出部に一層スムーズに嵌合させることができ、プロテクタの組付性が一層向上する。
【００２４】
請求項５記載の発明によれば、一方の分割嵌合部がロアカバーのハーネス導出部にガタ付きなく強固に嵌合し、ロアカバーに対するプロテクタの連結強度が高まり、ロアカバーからのプロテクタの外れが一層確実に防止される。
【発明を実施するための最良の形態】
【００２５】
図１は、本発明に係る電気接続箱のハーネス導出構造の一実施形態を示すものである。
【００２６】
この電気接続箱１は、合成樹脂製のメインカバー２とロアカバー３とアッパカバー４と、ロアカバー３の底部に設けられた合成樹脂製の分割式のプロテクタ５とを備えたものであり、メインカバー２内に装着された各種電気部品やコネクタ等から導出される各電線（ワイヤハーネス６）は、略Ｔ字状のプロテクタ５で二方向に分岐して外部に導出されている。
【００２７】
メインカバー２は前後左右の側壁でなる矩形筒状の外周壁８と、外周壁８の内面に直交する枠状の部品装着壁（図示せず）とを備え、外周壁８にロアカバー３の係合部９に対する係止部（内側に爪部を有する可撓性の係止片）１０が設けられ、内側の部品装着壁にはリレーやヒュージブルリンクといった電気部品が直接装着されたり、合成樹脂製のリレーブロックやヒューズブロック等を介して間接的に装着されたり、コネクタブロックを介して複数のコネクタが装着されたりする。
【００２８】
リレーやヒュージブルリンク等の部品の各端子には端子付き電線が接続され、コネクタの各端子には電線が圧着等で接続され、各電線が集められてロアカバー３をほぼ上下に（正確には漏斗状に集束されつつ）通過し、ロアカバー３の中央部分でワイヤハーネス６としてプロテクタ５から水平な二方向に導出されている。
【００２９】
プロテクタ５は前後一対のハーネス導出口１１を有して、ワイヤハーネス６を前後（電気接続箱の長手方向）に分岐させている。ハーネス導出口１１は水平な短い管部（屈曲部）１２，１３に設けられ、各管部１２，１３は垂直な短い管部（嵌合部）１４から直交方向に屈曲して続いている。水平な管部１２，１３の全長は接続箱本体１５の前後長よりも短く設定されている。接続箱本体１５はメインカバー２とロアカバー３とアッパカバー４とで構成されている。
【００３０】
プロテクタ５から水平に導出されたワイヤハーネス６は例えば接続箱本体１５の側面１６に沿って上向きに垂直に配索され、アッパカバー４側で再度水平方向に配索される。
【００３１】
メインカバー２とアッパカバー４とは可撓性のアーム４５と突起２１とで係止されている。メインカバー２のブラケット２２で電気接続箱１が車両ボディ等に固定される。
【００３２】
プロテクタ５はロアカバー３の底部に配置されているから、上からの水がかかり難く、また、管部１２，１３のハーネス導出口１１は円形でワイヤハーネス６に密着しているから、ハーネス導出口１１からの水の浸入も生じにくい。万一プロテクタ内に水が入っても、プロテクタ底部に設けた小孔２３から水が落下して（排出されて）、上側の接続箱本体１５内への水や塵の侵入は確実に防止される。
【００３３】
プロテクタ５はロアカバー３のほぼ中央の下向きの管部（ハーネス導出部）４１に回動自在に連結されている。
【００３４】
図２はロアカバー３を示すものであり、ロアカバー３の底壁３８に管部４１が下向きに突出形成され、管部４１の外周に上下一対のリブ４２が全周に渡って環状に設けられ、上下のリブ４２の間に凹溝４３が全周に渡って形成されている。リブ４２に分割式のプロテクタ５の垂直な管部１４の内周部が係合するようになっている。図２のロアカバー３は図１の短辺側の壁部１９側から見たものである。図２で符号９はメインカバー２に対する係合部を示している。
【００３５】
図３〜図４は分割式のプロテクタ５を示すものであり、プロテクタ５は底部中央の薄肉のヒンジ２４（図４）を介して開閉自在に連結されている。左右一対の分割プロテクタ２５，２６はほぼ対称に形成され、一方の分割プロテクタ２５の係止枠片２８と他方の分割プロテクタ２６の係合爪２７とで係止される。
【００３６】
図３の如くプロテクタ５の形状は垂直方向の大径で有底の管部１４と水平方向の小径な筒状の管部１２，１３とを直交させたような形状であり、垂直な管部１４の開口内にロアカバー３（図１）が連結され、水平な管部１３の開口内にワイヤハーネス６（図１）が固定される。
【００３７】
垂直な管部１４には開口端の鍔部（リブ）３２，３２’と開口内の二条のリブ２９，３０、２９’，３０’が対向して周方向に設けられ、水平な管部１３の先端内側には三条のリブ４６が周方向に設けられている。各リブ２９，３０，３２、２９’，３０’，３２’、４６の間には各凹溝３０，３１’，４７がそれぞれ形成されている。
【００３８】
垂直な管部１４は半割り状の一対の分割管部（分割嵌合部）１４ａ，１４ｂで構成される。一方の分割管部１４ａにはリブ２９，３０が略半円状に長く形成され、他方の分割管部１４ｂにはリブ２９’，３０’が半円よりも短い円弧状に形成されている。
【００３９】
リブ２９，３０は一方の分割管部１４ａの内周面の一端から他端にかけて半周に渡って形成され、リブ２９，３０の一端２９ａ，３０ａと他端２９ｂ，３０ｂは分割管部１４ａの一端と他端とに一致している。また、リブ２９’，３０’は他方の分割管部１４ｂの中央部とその近傍に形成され、他方の分割管部１４ｂの一端及び他端とリブ２９’，３０’の一端２９ａ’，３０ａ’及び他端２９ｂ’，３０ｂ’との間にはそれぞれ分割管部１４ｂの内周面４８のみが位置している。
【００４０】
他方の分割管部１４ｂにおける上側のリブ２９’にはその下半部にテーパ状の面取２９ｃ’が形成されている。各分割管部１４ａ，１４ｂの開口端の鍔部３２，３２’はそれぞれ各分割管部１４ａ，１４ｂの一端から他端にかけて半円状に形成され、各鍔部３２，３２’の下半部にはテーパ状の面取３２ａ，３２ａ’が形成されている。
【００４１】
図５はロアカバー３の管部４１に分割式のプロテクタ５の管部１４を連結する状態（方法）を示すものであり、先ず、半周に渡る長いリブ２９，３０を有する一方の分割管部１４ａがロアカバー３の管部４１の左半部（半周部）に嵌合され、次いで、円弧状の短いリブ２９’，３０’を有する他方の分割管部１４ｂが矢印Ａの如くヒンジ２４（図４）を支点に回動されつつロアカバー３の管部１４の右半部（半周部）に嵌合されて、両分割管部１４ａ，１４ｂが合体する。
【００４２】
ロアカバー３の管部４１に対して、長いリブ２９，３０を有する一方の分割管部１４ａは径方向に平行移動して組み付けられ、短いリブ２９’，３０’を有する他方の分割管部１４ｂは径方向に回動しつつ組み付けられる。他方の分割管部１４ｂのリブ２９’，３０’が短く形成されているから、回動して組み付けた場合に他方の分割管部１４ｂのリブ２９’，３０’がロアカバー３の管部４１のリブ４２に干渉することなく、スムーズに嵌合される。他方の分割管部１４ｂの中間のリブ２９’の回動軌跡はロアカバー３の管部４１のリブ間の凹溝４３に一致するようになっている。
【００４３】
他方の分割管部１４ｂの開口端の鍔部３２’はロアカバー３の管部４１の上側のリブ４２の上面側に沿って係合し、他方の分割管部１４ｂの中間のリブ２９’はロアカバー３の管部４１の上下のリブ４２の間の凹溝４３に係合し、他方の分割管部１４ｂの下側のリブ３０’はロアカバー３の管部４１の下側のリブ４２の下側面に沿って係合する。これは一方の分割管部１４ａにおいても同様である。
【００４４】
但し、他方の分割管部１４ｂの中間のリブ２９’には下半部にテーパ状の面取２９ｃ’が形成されているから、回動組付に際して、中間のリブ２０’がロアカバー３の管部４１の下側のリブ４２に干渉することなく、スムーズに嵌合される。この構成及び作用は他方の分割管部１４ｂの開口端の鍔部３２’においても同様である。
【００４５】
一方の分割管部１４ａの各リブ２９，３０（特に中間のリブ２９）は面取のない直角な断面矩形状に形成されているから、ロアカバー３の管部４１のリブ４２やリブ間の凹溝４３にしっかりと隙間なく嵌合し、これによって、ロアカバー３の管部４１に対する合体後のプロテクタ５の管部１４の嵌合力が強化され、ロアカバー３からのプロテクタ５の外れが防止される。
【００４６】
図３，図４において、プロテクタ５の水平な管部１３内のリブ４６はワイヤハーネス外周の保護チューブであるコルゲートチューブの凹溝４９（図１）に係合してコルゲートチューブを少なくとも軸方向不動に固定する。コルゲートチューブは既存のものである。複数本の電線とそれを覆うコルゲートチューブとでワイヤハーネス６が構成されている。
【図面の簡単な説明】
【００４７】
【図１】本発明に係る電気接続箱のハーネス導出構造の一実施形態を示す正面図である。
【図２】接続箱本体であるロアカバーを示す側面図である。
【図３】ハーネス導出用のプロテクタを示す斜視図である。
【図４】同じくプロテクタの展開状態を示す平面図である。
【図５】ロアカバーにプロテクタを連結させる状態を示す説明図である。
【図６】従来の電気接続箱のハーネス導出構造の一形態を示す分解斜視図である。
【図７】従来のハーネスプロテクタの一形態を示す斜視図である。
【符号の説明】
【００４８】
１              電気接続箱
３              ロアカバー
５              プロテクタ
１２，１３      管部（屈曲部）
１４            管部（嵌合部）
１４ａ          一方の分割管部（分割嵌合部）
１４ｂ          他方の分割管部（分割嵌合部）
２９，３０      リブ
２９’，３０’   リブ
２９ｃ’        面取
４１            管部（ハーネス導出部）
４２            リブ
４３            凹溝
【図１】
2005304135.tif 000003
【図２】
2005304135.tif 000004
【図３】
2005304135.tif 000005
【図４】
2005304135.tif 000006
【図５】
2005304135.tif 000007
【図６】
2005304135.tif 000008
【図７】
2005304135.tif 000009